(57)【要約】【課題】  昇降機に関してそれほど高度の専門知識を持たない者でも、適正な昇降路の仕様を容易に作成できるようにすること。【解決手段】  昇降路仕様決定支援装置１は、操作者が操作するキーボード等の入力手段２と、各種設計情報が格納された昇降路設計情報格納手段３と、設計情報に基づいて、設置候補の昇降機の中からいずれか一の昇降機を選定し、この選定した昇降機を設置するのに必要な昇降路領域について演算する昇降機設置必要領域演算手段４と、手段４の演算結果に基づく昇降路仕様を提示する昇降路仕様提示手段５と、手段３，４，５からの出力情報を表示可能な表示手段６とを備えている。【選択図】図１
2005212998.tif 000002
【特許請求の範囲】
【請求項１】
昇降路に対する設置候補とされている昇降機についての各種設計情報が格納された昇降路設計情報格納手段と、
入力手段からの昇降路及び昇降機についての所定仕様情報を入力し、前記昇降路設計情報格納手段に格納された設計情報に基づいて、前記設置候補とされている昇降機の中からいずれか一の昇降機を選定し、この選定した昇降機を設置するのに必要な昇降路領域について演算する昇降機設置必要領域演算手段と、
前記昇降機設置必要領域演算手段の演算結果に基づく昇降路仕様を提示する昇降路仕様提示手段と、
前記昇降路設計情報格納手段に格納された設計情報、並びに前記昇降機設置必要領域演算手段及び前記昇降路仕様提示手段からの出力情報を表示可能な表示手段と、
を備えたことを特徴とする昇降路仕様決定支援装置。
【請求項２】
前記昇降機設置必要領域演算手段は、
前記一の昇降機を選定する昇降機選定手段と、
前記選定された昇降機の構成機器を昇降路内に配置したときの配置情報を提供する構成機器配置手段と、
前記昇降路内に配置された各構成機器について予め設定されたクリアランス値を付与するクリアランス値付与手段と、
前記付与されたクリアランス値が確保されるように、前記選定した昇降機を昇降路に設置するのに必要な領域を演算し、これを必要領域として仮決定する必要領域仮決定手段と、
前記仮決定された必要領域を昇降路に設けた場合に、前記構成機器と昇降路とが干渉するか否かについて判別する干渉有無判定手段と、
前記干渉有無判定手段が干渉する旨の判定を行った場合にその干渉個所を特定し、干渉がなくなるように、前記昇降機選定手段による選定、前記構成機器配置手段による配置、前記クリアランス値付与手段により付与されるクリアランス値、又は前記必要領域仮決定手段より演算される領域のうちの少なくともいずれか一について調整を行う仕様調整手段と、
前記干渉有無判定手段が干渉しない旨の判定を行った場合の前記仮決定された必要領域を適正必要領域として出力する適正必要領域出力手段と、
を含んで構成されるものである、
ことを特徴とする請求項１記載の昇降路仕様決定支援装置。
【請求項３】
前記構成機器配置手段が提供する配置情報には、
前記昇降路内に配置した構成機器の取付又は支持のための必要部材に関する情報が含まれる、
ことを特徴とする請求項２記載の昇降路仕様決定支援装置。
【請求項４】
前記表示手段は、前記昇降路仕様提示手段が提示する昇降路仕様を３次元画像により表示可能なものである、
ことを特徴とする請求項１乃至３のいずれかに記載の昇降路仕様決定支援装置。
【請求項５】
前記表示手段は、前記昇降機設置必要領域演算手段を構成する各手段の出力を文字又は画像により表示可能なものである、
ことを特徴とする請求項２又は３記載の昇降路仕様決定支援装置。
【請求項６】
前記表示手段は、前記クリアランス付与手段の付与に基づくクリアランス領域を、昇降路横断面画像上で表示するものである、
ことを特徴とする請求項５記載の昇降路仕様決定支援装置。
【請求項７】
前記表示手段は、前記干渉有無判定手段が干渉する旨の判定を行った場合の干渉個所を強調表示するものである、
ことを特徴とする請求項５記載の昇降路仕様決定支援装置。
【請求項８】
前記請求項１乃至７のいずれかに記載の複数台の昇降路仕様決定支援装置がネットワークを介して相互に接続されて成る、
ことを特徴とする昇降路仕様決定支援システム。
【請求項９】
前記複数台の昇降路仕様決定支援装置には、少なくとも、前記昇降路の設計者が保有する装置、前記昇降機の発注者が保有する装置、及び前記昇降機の製造者が保有する装置が含まれ、
しかも、各装置の前記昇降路設計情報格納手段に格納される設計情報は、昇降機の製造者により随時更新されるものである、
ことを特徴とする請求項８記載の昇降路仕様決定支援システム。
【発明の詳細な説明】
【技術分野】
【０００１】
本発明は、昇降機の設置が行われる昇降路について、その仕様を決定する際に用いられる昇降路仕様決定支援装置及びシステムに関するものである。
【背景技術】
【０００２】
昇降機は昇降路に設置され、昇降路内を昇降動するものであるから、昇降機の仕様と昇降路の仕様とは互いに適合するものでなければならない。したがって、新築ビルに昇降機を設置する場合は、昇降路施工を担当する建設会社と昇降機据え付けを担当する昇降機メーカとの間で事前によく打ち合わせを行い、双方の仕様を適切に決定しておく必要がある（昇降路の形状及び寸法については一部が建築基準法等の法令により満たすべき基準が定められているが、実際には建設会社と昇降機メーカとの打ち合わせで決まる部分が多い）。
【０００３】
この場合、昇降機及び昇降路の仕様を決定するにあたっては種々の制約・条件を考慮する必要がある。例えば、昇降路側の仕様について考えてみると、施工又は保守の容易化という観点からは充分なスペースを確保することが望ましいが、建物の有効利用という観点からは逆にスペースを狭くすることが望まれる。このようなことから、双方の仕様を適切に決定するのは決して容易なことではないことが分かる。特に、近年は昇降機の製品種類や建築物の種別が多様化してきており、昇降機及び昇降路双方の仕様を適切に決定するのは一層困難となっている。
【０００４】
ここで、昇降機の仕様については、近時急速に発達したコンピュータ及びインターネットを活用することにより適切に決定することが可能な技術が提案されている（例えば、本出願人の提示した特許文献１参照）。
【０００５】
この特許文献１に係る技術によれば、ユーザの希望する仕様を具備した昇降機が３次元モデルを用いて画面上で表示されるので、ユーザ側と昇降機メーカ側とは必ずしも直接に対面しなくても昇降機の新規仕様を決定することができるようになり、ユーザ側及び昇降機メーカ側双方の労力を軽減することが可能になっている。
【特許文献１】特開２００３−１７１０６９号公報
【発明の開示】
【発明が解決しようとする課題】
【０００６】
ところで、昇降機の設置を行う場合は、先に建設会社が昇降路の施工を行い、昇降路が完成した後に、昇降機メーカが昇降機の据え付けを行うことになるが、一般に、施工主の昇降機についての発注時期は、建物全体についての発注時期に比べて遅くなるのが通常であり、昇降機の発注時点では既に昇降路の建造が開始されていることもある。
【０００７】
このような場合、昇降路の設計担当者が昇降機についての充分な専門知識を持っており、昇降路の仕様を適切に決定していれば特に問題は生じない。しかし、そうではなく、昇降路の仕様と昇降機の仕様とが適合しないような場合には、昇降路の設計又は施工をはじめからやり直したり、あるいは上記の特許文献１の技術を用いて折角決定した当初の昇降機の仕様の採用をあきらめ、新しい仕様を再検討しなければならないことがあった。
【課題を解決するための手段】
【０００８】
上記課題を解決するための手段として、請求項１記載の発明は、昇降路に対する設置候補とされている昇降機についての各種設計情報が格納された昇降路設計情報格納手段と、入力手段からの昇降路及び昇降機についての所定仕様情報を入力し、前記昇降路設計情報格納手段に格納された設計情報に基づいて、前記設置候補とされている昇降機の中からいずれか一の昇降機を選定し、この選定した昇降機を設置するのに必要な昇降路領域について演算する昇降機設置必要領域演算手段と、前記昇降機設置必要領域演算手段の演算結果に基づく昇降路仕様を提示する昇降路仕様提示手段と、前記昇降路設計情報格納手段に格納された設計情報、並びに前記昇降機設置必要領域演算手段及び前記昇降路仕様提示手段からの出力情報を表示可能な表示手段と、を備えたことを特徴とする。
【０００９】
請求項２記載の発明は、請求項１記載の発明において、前記昇降機設置必要領域演算手段は、前記一の昇降機を選定する昇降機選定手段と、前記選定された昇降機の構成機器を昇降路内に配置したときの配置情報を提供する構成機器配置手段と、前記昇降路内に配置された各構成機器について予め設定されたクリアランス値を付与するクリアランス値付与手段と、前記付与されたクリアランス値が確保されるように、前記選定した昇降機を昇降路に設置するのに必要な領域を演算し、これを必要領域として仮決定する必要領域仮決定手段と、前記仮決定された必要領域を昇降路に設けた場合に、前記構成機器と昇降路とが干渉するか否かについて判別する干渉有無判定手段と、前記干渉有無判定手段が干渉する旨の判定を行った場合にその干渉個所を特定し、干渉がなくなるように、前記昇降機選定手段による選定、前記構成機器配置手段による配置、前記クリアランス値付与手段により付与されるクリアランス値、又は前記必要領域仮決定手段より演算される領域のうちの少なくともいずれか一について調整を行う仕様調整手段と、前記干渉有無判定手段が干渉しない旨の判定を行った場合の前記仮決定された必要領域を適正必要領域として出力する適正必要領域出力手段と、を含んで構成されるものである、ことを特徴とする。
【００１０】
請求項３記載の発明は、請求項２記載の発明において、前記構成機器配置手段が提供する配置情報には、前記昇降路内に配置した構成機器の取付又は支持のための必要部材に関する情報が含まれる、ことを特徴とする。
【００１１】
請求項４記載の発明は、請求項１乃至３のいずれかに記載の発明において、前記表示手段は、前記昇降路仕様提示手段が提示する昇降路仕様を３次元画像により表示可能なものである、ことを特徴とする。
【００１２】
請求項５記載の発明は、請求項２又は３記載の発明において、前記表示手段は、前記昇降機設置必要領域演算手段を構成する各手段の出力を文字又は画像により表示可能なものである、ことを特徴とする。
【００１３】
請求項６記載の発明は、請求項５記載の発明において、前記表示手段は、前記クリアランス付与手段の付与に基づくクリアランス領域を、昇降路横断面画像上で表示するものである、ことを特徴とする。
【００１４】
請求項７記載の発明は、請求項５記載の発明において、前記表示手段は、前記干渉有無判定手段が干渉する旨の判定を行った場合の干渉個所を強調表示するものである、ことを特徴とする。
【００１５】
請求項８記載の発明は、前記請求項１乃至７のいずれかに記載の複数台の昇降路仕様決定支援装置がネットワークを介して相互に接続されて成る、ことを特徴とする。
【００１６】
請求項９記載の発明は、請求項８記載の発明において、前記複数台の昇降路仕様決定支援装置には、少なくとも、前記昇降路の設計者が保有する装置、前記昇降機の発注者が保有する装置、及び前記昇降機の製造者が保有する装置が含まれ、しかも、各装置の前記昇降路設計情報格納手段に格納される設計情報は、昇降機の製造者により随時更新されるものである、ことを特徴とする。
【発明の効果】
【００１７】
本発明によれば、昇降機に関してそれほど高度の専門知識を持たない者でも、適正な昇降路の仕様を容易に作成することができる。したがって、従来のように、昇降路の仕様と昇降機の仕様とが適合せず、本来設置すべきであった機種の昇降機を設置することが不可能になるというような不都合な事態の発生を防止することができる。
【発明を実施するための最良の形態】
【００１８】
図１は、本発明の実施形態に係る昇降路仕様決定支援装置の構成を示すブロック図である。この図において、昇降路仕様決定支援装置１は、操作者が操作するキーボード等の入力手段２と、昇降路に対する設置候補とされている昇降機についての各種設計情報が格納された昇降路設計情報格納手段３と、入力手段２からの昇降路及び昇降機についての所定仕様情報を入力し、昇降路設計情報格納手段３に格納された設計情報に基づいて、設置候補とされている昇降機の中からいずれか一の昇降機を選定し、この選定した昇降機を設置するのに必要な昇降路領域について演算する昇降機設置必要領域演算手段４と、昇降機設置必要領域演算手段４の演算結果に基づく昇降路仕様を提示する昇降路仕様提示手段５と、昇降路設計情報格納手段３に格納された設計情報、並びに昇降機設置必要領域演算手段４及び昇降路仕様提示手段５からの出力情報を表示可能な表示手段６とを備えている。
【００１９】
そして、上記の昇降機設置必要領域演算手段４は、一の昇降機を選定する昇降機選定手段７と、その選定された昇降機の構成機器を昇降路内に配置したときの配置情報を提供する構成機器配置手段８と、記昇降路内に配置された各構成機器について予め設定されたクリアランス値を付与するクリアランス値付与手段９と、その付与されたクリアランス値が確保されるように、選定した昇降機を昇降路に設置するのに必要な領域を演算し、これを必要領域として仮決定する必要領域仮決定手段１０と、その仮決定された必要領域を昇降路に設けた場合に、構成機器と昇降路とが干渉するか否かについて判別する干渉有無判定手段１１と、この干渉有無判定手段が干渉する旨の判定を行った場合にその干渉個所を特定し、干渉がなくなるように、昇降機選定手段７による選定、構成機器配置手段８による配置、クリアランス値付与手段９により付与されるクリアランス値、又は必要領域仮決定手段１０より演算される領域のうちの少なくともいずれか一について調整を行う仕様調整手段１２と、干渉有無判定手段１１が干渉しない旨の判定を行った場合の仮決定された必要領域を適正必要領域として出力する適正必要領域出力手段１３と、を含んで構成されている。
【００２０】
次に、図１の動作を図２のフローチャートに基づき説明する。まず、操作者の入力手段２の操作により、昇降路及び昇降機についての所定仕様情報が昇降機設置必要領域演算手段４に入力される（ステップ１）。ここで、昇降路についての所定仕様情報には、例えば、昇降路構造の種別（鉄筋コンクリート造、鉄骨造、プレキャストコンクリート造等の種別）、昇降路有効幅・奥行き、基礎寸法、柱寸法、梁寸法、壁厚、ピット深さ、オーバーヘッド、各階階高、床厚、壁・床仕上代等がある。また、昇降機の所定仕様情報には、例えば、昇降機の用途、積載量、定員、停止階数、かご意匠、乗場意匠、オペレーション仕様等がある。なお、操作者は、これらの所定仕様情報を全て入力する必要はなく、意図的にある情報を入力しないことにより、その情報を演算結果として得るようにすることも可能である。
【００２１】
上記の所定仕様情報が昇降機設置必要領域演算手段４に入力されると、昇降機選定手段７は、昇降路設計情報格納手段３に格納されている設計情報に基づき、一の昇降機を選定する（ステップ２）。ここで、格納手段３に格納されている設計情報には、例えば、昇降路に対する設置候補となり得る昇降機の構成機器に関するデータ（巻上機用モータの型式、ガバナの型式、カウンタウエイトのサイズ、レールサイズ等がある）、機器選定ルール、機器配置ルール、クリアランスルールなどがある。そして、昇降機選定手段７は、上記の選定を機器選定ルールに従って行う。
【００２２】
次いで、構成機器配置手段８は、選定された昇降機の構成機器を昇降路内に配置する（ステップ３）。すなわち、構成機器配置手段８は、まず、昇降路に対して昇降機のカゴ位置を決定し（このカゴ位置の決定は、操作者が入力手段２により指定するようにしてもよいし、あるいは、「右寄せ位置」、「左寄せ位置」、「中央位置」などの所定位置に自動的に決定するようにしてもよい。）、この決定したカゴ位置に対して、カゴ及びその他の構成機器を機器配置ルールに従って配置する。
【００２３】
構成機器配置手段８は、このような配置が行われた状態を配置情報として提供するものである。この配置情報は、昇降路、昇降機についての形状情報を持つものである。操作者は、この配置情報により、その配置された様子を表示手段６の画面上で確認することができる。この場合、操作者は、画面に表示する画像を３次元画像とすることができ、また、平面図、断面図、及び詳細図等により表示させることもできる。あるいは、また、昇降路内に配置される昇降機の各構成機器の名称等を一覧表形式で表示させることもできる。
【００２４】
図３は、上記の３次元画像が表示された画面の例を示す説明図である。段部３１aを有する壁部３１により昇降路が形成されており、この昇降路内に昇降機用レール部材３２が配設されている。そして、このレール部材３２に沿って、巻上機３３により駆動されるカゴ３４が昇降動されるようになっている。
【００２５】
図４は、上記の断面図（縦断面図）が表示された画面の例を示す説明図である。この画面例では、昇降路内の最上階部分にカゴ３４が位置し、最下階のピット部３６付近にカウンタウエイト３５が位置している。また、このピット部３６付近にはガバナ３７も位置している。
【００２６】
構成機器配置手段８による配置が行われた後、クリアランス値付与手段９は、昇降路内に配置された各構成機器についてクリアランスルールにしたがってクリアランス値を付与する（ステップ４）。このクリアランスは、ある構成機器と、昇降路内に配設されている部材又は他の構成機器との間で干渉が生じることを回避するため、あるいはその他の施工上の都合によりに設ける間隙である。例えば、昇降路内のピットに配設される機器は、防水代として３０mm、施工誤差として３０mmのクリアランスが必要であり、一方、オーバーヘッドに配設される機器については防水代としてのクリアランスは不要である。なお、「干渉」とは、機器と部材との間、又は機器同士間で互いに接触や衝突が発生する虞のある状態を指している。
【００２７】
次いで、必要領域仮決定手段１０は、クリアランス値付与手段９により付与されたクリアランス値が確保されるように、選定した昇降機を昇降路に設置するのに必要な領域を演算し、これを必要領域として仮決定する（ステップ５）。
【００２８】
干渉有無判定手段１１は、上記のように仮決定された必要領域を昇降路内に設けた場合に、構成機器と昇降路との間で干渉が発生するか否かについて判別を行う（ステップ６）。
【００２９】
そして、干渉有無判定手段１１により干渉が発生すると判別された場合、仕様調整手段１２はその干渉個所を特定し（ステップ７）、その干渉個所に応じてステップ２〜５のうちのいずれかのステップに戻って、各手段に再処理を行わせて仕様の調整を行うようにする。
【００３０】
仕様調整手段１２による調整が行われ、ステップ６において、今度は干渉が発生しない旨の判別が干渉有無判定手段１１によりなされた場合、適正必要領域出力手段１３は、ステップ５において仮決定されていた必要領域を適正必要領域として、昇降路仕様提示手段５へ出力する（ステップ８）。
【００３１】
昇降路仕様提示手段５は、上記の適正必要領域を入力すると、これを前提とした昇降路仕様データを作成し、その提示を行う（ステップ９）。すなわち、作成した昇降路仕様データを表示手段６に出力し、昇降路仕様についての文字情報又は画像情報を表示手段６の画面上に表示させる。ここで、本実施形態における昇降路仕様提示手段５は、単に、昇降路のみに関する仕様データだけでなく、昇降機に関する仕様データについても提示するようにしている。また、昇降路仕様提示手段５は、図３で示した３次元画像の画面又は図４で示した縦断面図の画面を表示させることが可能であるが、更に、これらの画面に昇降路の設計上必要な寸法等を表示させることも可能である。
【００３２】
なお、本実施形態では、ステップ６で干渉有りとの判別が行われた場合の仕様調整を仕様調整手段１２に行わせるようにしているが、操作者が入力手段２を操作することにより自ら行うようにすることもできる。その場合、表示手段６の画面において、干渉が生じている個所を特定の色やマークを付することにより強調表示して操作者の調整作業を容易化させることが可能である。
【００３３】
図５は、干渉有りと判別された場合の昇降機の配置例を横断面図で示す説明図である。この図において、壁部３１及び柱部３８により昇降路３９が形成され、この昇降路３９内にカゴ３４が配置された状態となっている。カゴ３４は昇降路３９内に固設された一対のカゴ用レール部材３２，３２に沿って昇降動するようになっており、また、カウンタウエイト３５は同じく昇降路３９内に固設された一対のカウンタウエイト用レール部材４０に沿ってカゴ３４とは反対方向に昇降動されるようになっている。
【００３４】
そして、破線で示すように、カゴ３４の周囲にはクリアランス領域CL34が、カゴ用レール部材３２，３２の周囲にはクリアランス領域CL32，CL32が、カウンタウエイト３５の周囲にはクリアランス領域CL35が、カウンタウエイト用レール部材４０，４０の周囲にはクリアランス領域CL40，CL40が、それぞれ設けられている。
【００３５】
しかし、この図５の例では、クリアランス領域CL35、及び上側のクリアランス領域CL40で囲まれた部分が柱部３８と干渉した状態となっている。そこで、表示手段６の画面上では、斜線部で示したこれらの部分が強調され、操作者の注意が喚起されるようになっている。
【００３６】
図６は、上記の図５で示したように、干渉が生じている昇降路内の配置状態を、干渉が回避された配置状態に仕様調整した例を示す説明図である。すなわち、仕様調整手段１２による自動の仕様調整、あるいは操作者の手動での仕様調整により、昇降路３９の寸法Ｌ1を図５の場合よりも長く設計することで、クリアランス領域CL35、及び上側のクリアランス領域CL40で囲まれた部分と柱部３８との間の干渉が回避された状態になっている。そして、このように干渉が回避されたことから、図５では行われていた強調表示も解除された状態になっている。
【００３７】
ところで、本実施形態では、ステップ３において構成機器配置手段８が提供する配置情報について、昇降路内に配置した構成機器の取付又は支持のために特別な部材が必要とされる場合、あるいはこのような特別な部材を設けた方が好ましい場合には、この特別な部材に関する情報が含まれるようになっている。図７は、このような特別な部材として補強部材を設けた配置例についての説明図である。
【００３８】
すなわち、図７において、壁部３１の左方の内面からカゴ用レール部材３２までの距離Ｌ2はかなり長くなっているために、そのままではこのカゴ用レール部材３２に対する支持を強固なものとすることが困難になっている。そこで、このような場合には、壁部３１内面に一対の取付座４１，４１を固設し、この取付座４１，４１に梁部材４２の両端を取り付ける。そして、この梁部材４２の略中央部に支持部材４３の一端側を固着すると共に、他端側をカゴ用レール部材３２に固着する。このような構造を採用することにより、カゴ用レール部材３２に対する支持を強固なものとすることが可能となる。
【００３９】
なお、梁部材４２や支持部材４３などの構造部材の形格は、所定の昇降路仕様と、カゴ積載量等の所定の昇降機仕様とから求めることができる。また、本実施形態では、これらの部材の取付位置、形状、形格、数量や、その取付方法も表示手段６で表示されるようになっている。
【００４０】
図１の昇降路仕様決定支援装置１は上述した機能を有するものであり、このような装置を用いることとすれば、昇降機メーカの設計技術者のように、昇降機に関してそれほど高度の専門知識を持たない者（昇降機メーカの営業マン、昇降路設計を担当する建築会社の技術者等）でも、適正な昇降路の仕様を容易に作成することができる。したがって、従来のように、昇降路の仕様と昇降機の仕様とが適合せず、本来設置すべきであった機種の昇降機を設置することが不可能になるというような不都合な事態の発生を防止することができる。
【００４１】
図８は、上述した昇降路仕様決定支援装置を複数台用い、これらをインターネット等のネットワークを介して相互に接続することにより構成した昇降路仕様決定支援システムの構成図である。
【００４２】
すなわち、図８において、インターネット１４に、昇降機製造者側昇降路仕様決定支援装置１Ａ、昇降路設計者側昇降路仕様決定支援装置１Ｂ、及び昇降機発注者側昇降路仕様決定支援装置１Ｃがそれぞれ接続されている。これらの支援装置１Ａ，１Ｂ，１Ｃは既述した昇降路仕様決定支援装置１と同様の構成を有するものである。そして、各支援装置が備えている昇降路設計情報格納手段３に格納される設計情報は、昇降機製造者によって随時最新のデータに更新されるようになっている。
【００４３】
このようなシステムを活用することとすれば、昇降機製造者と昇降路設計者との間の連絡を密にすることができるので、従来のような不都合な事態の発生を一層有効に防止することができ、更に、昇降機発注者にとっても自己の希望する仕様通りに施工されるか否かを容易に確認することができるようになる。
【図面の簡単な説明】
【００４４】
【図１】本発明の実施形態に係る昇降路仕様決定支援装置の構成を示すブロック図。
【図２】図１の動作を説明するためのフローチャート。
【図３】図１における表示手段６により表示される３次元画像の表示画面についての説明図。
【図４】図１における表示手段６により表示される縦断面図の表示画面についての説明図。
【図５】図２のステップ６において、干渉有りと判別された場合の昇降機の配置例を示す説明図。
【図６】図５に示した、干渉が生じている昇降路内の配置状態を、干渉が回避された配置状態に仕様調整した例を示す説明図。
【図７】図２のステップ３において、補強部材を昇降路内に設けた場合の昇降機の配置例を示す説明図。
【図８】本発明の実施形態に係る昇降路仕様決定支援システムの構成図。
【符号の説明】
【００４５】
１，１Ａ，１Ｂ，１Ｃ  昇降路仕様決定支援装置
２  入力手段
３  昇降路設計情報格納手段
４  昇降機設置必要領域演算手段
５  昇降路仕様提示手段
６  表示手段
７  昇降機選定手段
８  構成機器配置手段
９  クリアランス値付与手段
１０  必要領域仮決定手段
１１  干渉有無判定手段
１２  仕様調整手段
１３  適正必要領域出力手段
１４  インターネット
３１  壁部
３１a  段部
３２  カゴ用レール部材
３３  巻上機
３４  カゴ
３５  カウンタウエイト
３６  ピット部
３７  ガバナ
３８  柱部
３９  昇降路
４０  カウンタウエイト用レール部材
CL32,CL34,CL35,CL40  クリアランス領域
４１  取付座
４２  梁部材
４３  支持部材
【図１】
2005212998.tif 000003
【図２】
2005212998.tif 000004
【図３】
2005212998.tif 000005
【図４】
2005212998.tif 000006
【図５】
2005212998.tif 000007
【図６】
2005212998.tif 000008
【図７】
2005212998.tif 000009
【図８】
2005212998.tif 000010